(57)【要約】【課題】本発明は、ＴＤ−ＨＳＰＡ＋端末機器信号ゲインの制御方法と装置を提供する。【解決手段】上記方法は、端末機器が連続パケット伝送モデルにあるとき、本機械が初めにハイスピードパケットチャネルから信号を受信するか否かを判定し、そうでない場合、隣接する２回の信号受信の間隔が所定の間隔より小さいか否かを判定し、そうでない場合、セル主要公共制御物理チャンネルＰＣＣＰＣＨ主要周波数ポイントのゲインＡＧＣＰＣＣＰＣＨを取得し、上記ＡＧＣＰＣＣＰＣＨにより本機械の現在受信し信号のゲインを制御する。本発明は、端末機器の隣接する２回の信号受信の間隔が大きい場合に特別な処理をして、セルＰＣＣＰＣＨ主要周波数ポイントのゲインを用い、端末機器が現在受信した信号のゲインを正確に調節することができるため、端末機器がＣＰＣモデルにおいても、下りデータまたは重要な再配置スケジューリング情報をなくすことはない。【選択図】図３
2015517269.tif 000002
【特許請求の範囲】
【請求項１】
ＴＤ−ＨＳＰＡ＋端末機器信号ゲインの制御方法であって、上記方法は、
端末機器が連続パケット伝送モデルにあるとき、本機械が初めにハイスピードパケットチャネルから信号を受信するか否かを判定し、そうでない場合、
隣接する２回の信号受信の間隔が所定の間隔より小さいか否かを判定し、そうでない場合、セル主要公共制御物理チャンネルＰＣＣＰＣＨ主要周波数ポイントのゲインＡＧＣＰＣＣＰＣＨを取得し、上記ＡＧＣＰＣＣＰＣＨにより本機械の現在受信した信号のゲインを制御する方法。
【請求項２】
上記端末機器が上記ＰＣＣＰＣＨの主要周波数ポイントのゲインＡＧＣＰＣＣＰＣＨを取得する前に、上記ＰＣＣＰＣＨ主要周波数ポイントには、測定済みのゲインが存在するか否かを判定し、そうである場合、上記ＰＣＣＰＣＨ主要周波数ポイントＡＧＣＰＣＣＰＣＨを取得するステップ及びその後のステップを実行し、そうでない場合、
上記端末機器がサービススロットＴＳ０にて上記ＰＣＣＰＣＨ主要周波数ポイントのゲインＡＧＣＴＳＯ＿ＰＣＣＰＣＨを測定し、上記ＡＧＣＴＳＯ＿ＰＣＣＰＣＨとデフォルトゲイン変数との和を計算し、上記ＡＧＣＴＳＯ＿ＰＣＣＰＣＨと上記デフォルトゲイン変数との和により、当該機器の現在受信した信号のゲインを制御する請求項１に記載の方法。
【請求項３】
上記端末機器の、隣接する２回の信号受信の間隔がデフォルト間隔より小さい場合、上記端末機器は、本機器の受信した信号がハイスピード下りリンク共有チャネルＨＳ−ＤＳＣＨまたはチャネル状態がＤＲＸを連続して受信しないハイスピード共有制御チャネルＨＳ−ＳＣＣＨからのものであるかを判定し、
そうである場合、上記端末機器が前回信号を受信したゲインで現在受信した信号のゲインを制御する請求項２に記載の方法。
【請求項４】
上記端末機器の、隣接する２回の信号受信の間隔がデフォルト間隔より小さい場合、上記端末機器は、本機器の受信した信号がチャネル状態が非ＤＲＸであるＨＳ−ＳＣＣＨからのものであるかを判定し、そうである場合、
上記端末機器が、現在信号を受信する信号対干渉比がデフォルト閾値より大きいか否かを判定し、そうである場合、上記端末機器は、前回信号を受信したゲインで現在受信した信号のゲインを制御し、そうでない場合、上記端末機器が前回信号を受信したゲインを次回信号を受信するゲイン制御基準値として設定する請求項２に記載の方法。
【請求項５】
前記端末機器が初めにハイスピードパケットチャネルから信号を受信する場合、上記端末機器は、上記ＰＣＣＰＣＨ主要周波数ポイントには、測定済みのゲインがあるか否かを判定し、
そうである場合、上記ＰＣＣＰＣＨ主要周波数ポイントのゲインＡＧＣＰＣＣＰＣＨを取得し、上記ＡＧＣＰＣＣＰＣＨを本機械の初回受信した信号のゲイン制御基準値にして、そうでない場合、サービススロットＴＳ０で上記ＰＣＣＰＣＨ主要周波数ポイントのゲインＡＧＣＴＳＯ＿ＰＣＣＰＣＨを測定し、上記ＡＧＣＴＳＯ＿ＰＣＣＰＣＨとデフォルトゲイン変数との和を計算し、上記ＡＧＣＴＳＯ＿ＰＣＣＰＣＨと上記デフォルト変数との和を本機械の初回受信した信号のゲイン制御基準値にする請求項３または４に記載の方法。
【請求項６】
上記ハイスピードパケットチャネルは、ＨＳ−ＤＳＣＨとＨＳ−ＳＣＣＨを含む請求項５に記載の方法。
【請求項７】
上記デフォルトゲイン変数は−１０〜０デシベルである請求項５に記載の方法。
【請求項８】
上記端末機器には、無線通信受信機、ＴＤ携帯電話を含む請求項５に記載の方法。
【請求項９】
ＴＤ−ＨＳＰＡ＋端末機器信号ゲインの制御装置であって、上記装置は、端末機器を含み、
上記端末機器が連続パケット伝送モデルにあるとき、本機械が初めにハイスピードパケットチャネルから信号を受信するか否かを判定し、そうでない場合、
隣接する２回の信号受信の間隔が所定の間隔より小さいか否かを判定し、そうでない場合、セル主要公共制御物理チャンネルＰＣＣＰＣＨ主要周波数ポイントのゲインＡＧＣＰＣＣＰＣＨを取得し、上記ＡＧＣＰＣＣＰＣＨにより本機械の現在受信し信号のゲインを制御するする装置。
【請求項１０】
上記端末機器は、
上記端末機器が初めにハイスピードパケットチャネルから信号を受信するか否かを判定する初回受信判定モジュールと、
隣接する２回の信号受信の間隔がデフォルト間隔より小さいか否かを判定する受信間隔判定モジュールと、
上記セルＰＣＣＰＣＨの主要周波数ポイントに測定済みのゲインがあるか否かを判定するＰＣＣＰＣＨゲイン判定モジュールと、
上記セルＰＣＣＰＣＨの主要周波数ポイントのゲインＡＧＣＰＣＣＰＣＨを取得するＰＣＣＰＣＨゲイン取得モジュールと、
サービススロットＴＳ０にて上記ＰＣＣＰＣＨ主要周波数ポイントのゲインＡＧＣＴＳＯ＿ＰＣＣＰＣＨを測定するＰＣＣＰＣＨゲイン測定モジュールと、
上記セルＰＣＣＰＣＨ主要周波数ポイントがサービススロットＴＳ０におけるゲインＡＧＣＴＳＯ＿ＰＣＣＰＣＨとデフォルトゲイン変数との和を計算するゲイン計算モジュールとを含む請求項９に記載の装置。
【請求項１１】
上記端末機器は、さらに、
上記端末機器が初めにハイスピードパケットチャネルから信号を受信する場合、上記ＰＣＣＰＣＨゲイン取得モジュールにより取得されたゲインＡＧＣＰＣＣＰＣＨまたは上記ゲイン計算モジュールにより算出されたゲインを上記端末機械の初回受信した信号のゲインにする初期化ゲイン制御モジュールと、
上記端末機器の隣接する２回の信号受信の間隔がデフォルト間隔より小さくない場合、上記ＰＣＣＰＣＨゲイン取得モジュールにより取得されたゲインＡＧＣＰＣＣＰＣＨ、または上記ゲイン計算モジュールにより算出されたゲインにより、本機械の現在受信した信号のゲインを制御する第１のゲイン制御モジュールと、
上記端末機器の、隣接する２回の信号受信の間隔がデフォルト間隔より小さい場合、上記端末機器の、前回受信した信号のゲインで現在受信した信号のゲインを制御し、または、上記端末機器の前回信号を受信したゲインを次回信号を受信するゲイン制御基準値にする第２のゲイン制御モジュールとを含む請求項１０に記載の装置。
【請求項１２】
上記端末機器は、無線通信機器、ＴＤ携帯電話を含む請求項９〜１１のいずれか一項に記載の装置。
【発明の詳細な説明】
【技術分野】
【０００１】
本発明は無線通信技術分野に関し、特にＴＤ−ＨＳＰＡ＋（Ｔｉｍｅ  Ｄｉｖｉｓｉｏｎ−Ｈｉｇｈ  Ｓｐｅｅｄ  Ｐａｃｋｅｔ  Ａｃｃｅｓｓ  Ｐｌｕｓ、時間分割同期符号分割多元接続高速パケットアクセスプラス）端末設備のゲイン制御方法及び装置に関するものである。
【背景技術】
【０００２】
一、  ＴＤ−ＨＳＰＡ＋連続パケット接続技術
３ＧＰＰ  Ｒ８（Ｔｈｅ  ３ｒｄ  Ｇｅｎｅｒａｔｉｏｎ  Ｐａｒｔｎｅｒｓｈｉｐ  Ｐｒｏｊｅｃｔ  Ｒｅｌｅａｓｅ  ８、第三世代パートナーシッププロジェクトリリース８）において、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、時間分割同期符号分割多元接続）プロトコルに、ＨＳＰＡ＋（Ｈｉｇｈ  Ｓｐｅｅｄ  Ｐａｃｋｅｔ  Ａｃｃｅｓｓ  Ｐｌｕｓ、高速パケット接続プラス）技術が導入されていた。ＴＤ−ＨＳＰＡ技術は従来のＨＳＰＡ技術のアップグレードで、主にシステムのユーザ容量とスループットを高め、「連続オンライン」データサービスに対するサポートを最適化することが図られている。
【０００３】
ＴＤ−ＨＳＰＡ＋は複数のプラス技術の集合であり、物理層プラスと高層プラスとの二つの方面がある。物理層プラス技術は、例えば６４ＱＡＭ（Ｑｕａｄｒａｔｅ  Ａｍｐｌｉｔｕｄｅ  Ｍｏｄｕｌａｔｉｏｎ、直交振幅変調）、ＭＩＭＯ（Ｍｕｌｔｉｐｌｅ−Ｉｎｐｕｔ  Ｍｕｌｔｉｐｌｅ−Ｏｕｔｐｕｔ、マルチ入力マルチ出力）、及びマルチキャリア技術などのような高次変調を含む。高層プラス技術はＣＥＬＬ＿ＦＡＣＨ（Ｃｅｌｌ  Ｆｏｒｗａｒｄ  Ａｃｃｅｓｓ  Ｃｈａｎｎｅｌ、セルフォワードアクセスチャネル）プラス、層２プラスとＣＰＣ（Ｃｏｎｔｉｎｕｏｕｓ  Ｐａｃｋｅｔ  Ｃｏｎｎｅｃｔｉｖｉｔｙ，連続パケット接続技術）を含む。
【０００４】
ＣＰＣとは、パケットユーザの「永久オンライン」である。ＣＰＣは３ＧＰＰ  Ｒ５／Ｒ６のＨＳＰＡ機能を改良することで、連続接続のニースがあるパケットユーザが頻繁な再確立によるスループットと時間遅延を避けることが可能になり、ＣＥＬＬ−ＤＣＨ（Ｃｅｌｌ  Ｄｅｄｉｃａｔｅｄ  Ｃｈａｎｎｅｌ、セル専用チャネル）パケットユーザの数を増加し、ＶｏＩＰ（Ｖｏｉｃｅ  ｏｖｅｒ  Ｉｎｔｅｒｎｅｔ  Ｐｒｏｔｏｃｏｌ、インターネットプロトコルによる音声伝送）のユーザ容量とシステム能率を高めるという目的が達成される。
【０００５】
ＣＰＣにおいて、半継続リソースが導入され、半継続リソースは基地局に配置されてから常時有効であり、端末設備は、基地局により配置されたＲｘモデル又はＴｘモデルに従いデータの受送信を行う。半継続リソースの配置は、半静的配置と動的配置がある。半静的配置は、ＲＮＣ（Ｒａｄｉｏ  Ｎｅｔｗｏｒｋ  Ｃｏｎｔｒｏｌｌｅｒ、無線ネットワークコントローラ）により、ＲＲＣ（Ｒａｄｉｏ  Ｒｅｓｏｕｒｃｅ  Ｃｏｎｔｒｏｌ、無線リソースコントローラ）メッセージを介しリストの形で端末設備に配置する。動的配置は、基地局が下りＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ、高速共有制御チャネル）又は上がりＥ−ＡＧＣＨ（Ｅｎｈａｎｃｅｄ  Ａｂｓｏｌｕｔｅ  Ｇｒａｎｔ  Ｃｈａｎｎｅｌ、強化された絶対許可チャネル）を介し動的に端末設備に配置する。端末設備は動的特性に基づき半静的配置を結び合わせて、総合的に端末設備の具体的な半継続リソース配置が得られる。
【０００６】
制御チャネルのパワースループットを低減させるために、ＣＰＣにおいて、さらに制御チャネルＤＲＸ（Ｄｉｓｃｏｎｔｉｎｕｏｕｓ  Ｒｅｃｅｐｔｉｏｎ、間欠受信）操作が導入されている。制御チャネルＤＲＸ操作は、ＨＳ−ＳＣＣＨ  ＤＲＸとＥ−ＡＧＣＨ  ＤＲＸとが単独で行う。システムは、割りと長い期間内に、端末設備によりＨＳ−ＳＣＣＨ又はＥ−ＡＧＣＨチャネルをモニターする必要がないと確認する場合、基地局がタイマー又はコマンドの形で、端末設備に対して制御チャネルＤＲＸ状態に入ることを通知し、この時端末設備が所定の周期と時間オフセットで対応する制御チャネルを受信すればよい。
【０００７】
二、  自動的ゲイン制御
通常の受信機の入力信号の動的変動が大きいため、ＡＧＣ（ＡｕｔｏｍａｔｉｃＧａｉｎ  Ｃｏｎｔｒｏｌ、自動ゲイン制御）の目的は、出力信号を正規化にし、割りと安定したレベルに維持させることである。図１は従来技術において、ＡＧＣフィードバックループによりゲインを制御することの基本的な模式図である。図１に示すように、ＡＧＣ制御ユニットとＶＧＡ（Ｖａｒｉａｂｌｅ  Ｇａｉｎ  Ａｍｐｌｉｆｉｅｒ、可変ゲインアンプ）とがフィードバックループを構成する。ベースバンドのフィルタリング前のＩ、Ｑ信号がフィルタリングループに入力され、所定の時間内に、電力累積と平均処理が行われ、その後、基準電力値と比較をして、比較で得られた誤差がフィードバックループのフィルターに送られ、フィルターによりフィルタリングされてＡＧＣ制御ユニットに出力されて、最後にＡＧＣ制御ユニットによりＶＧＡとＬＮＡ（Ｌｏｗ  Ｎｏｉｓｅ  Ａｍｐｌｉｆｉｅｒ、低騒音アンプ）のゲイン調整が生成される。
【０００８】
実際のＴＤ−ＳＣＤＭＡ端末受信機システムにおいて、ＡＧＣ制御ユニットの計算処理は時間的遅延があるため、通常は、あるチャネルで前回受信した信号により算出されたゲイン（ＡＧＣ基準値）により、次の同一チャネルで受信した信号のゲインを制御することになっている。無線チャネルの素早い時間変化特性により、隣接する二回で同一チャネルで信号を受信する受信間隔が大きくなってはならない。伝統的なＨＳＰＡ技術において、この間隔は、通常幾つかのフレームしかない。
【０００９】
三、  ＴＤ−ＨＳＰＡ＋ＣＰＣ状態におけるＡＧＣの課題
ＣＰＣ状態におけるＡＧＣ制御は他と異なっている。ＨＳＤＰＡ（Ｈｉｇｈ  Ｓｐｅｅｄ  Ｄｏｗｎｌｉｎｋ  Ｐａｃｋｅｔ  Ａｃｃｅｓｓ、ハイスピード下りリンクパケットアクセス）のＣＰＣ伝送を例として、端末機器が基地局により配置された１グループのリソースパターン（繰り返し周期と繰り返し長さを含む）を用い、ＨＳ−ＤＳＣＨ（Ｈｉｇｈ−Ｓｐｅｅｄ  Ｄｏｗｎｌｉｎｋ  Ｓｈａｒｅｄ  Ｃｈａｎｎｅｌ、ハイスピード下りリンク共有チャネル）信号を受信し、ＨＳ−ＳＣＣＨシグナリングによりフレームごとにスケジューリングする必要がない。プロトコルで規定した半継続リソースパターンにおいて、最も長い繰り返し周期は３２フレームに達することができる、即ち、ＣＰＣ  ＨＳ−ＤＳＣＨから信号を受信する隣接２回の間隔は３２サブフレームに達することがある。
【００１０】
基地局がＨＳ−ＳＣＣＨシグナリングにより半継続リソースに対して訂正（ＨＳ−ＳＣＣＨを再配置）することができるが、ＨＳ−ＳＣＣＨ  ＤＲＸを使わないとき、ＨＳ−ＳＣＣＨ再配置の送信時間が固定ではない。ＨＳ−ＳＣＣＨを再配置する間隔が長くなることもある。例えば、ある代表的なネットワーク配置において、当該間隔は４０サブフレームに達することが可能である。この間、端末機器が割り当てられたＨＳ−ＳＣＣＨ物理リソースにＨＳ−ＳＣＣＨ再配置のシグナリングが発行されたか否かを継続してモニターしなければならない。
【００１１】
以上の場面において、ＣＰＣ  ＨＳ−ＤＳＣＨから信号を受信する、またはＨＳ−ＳＣＣＨを再配置する間隔が非常に長くなることがあるため、信号電力がこの間に劇的な変化を発生する可能性がある。直接前回信号を受信した際に算出したＡＧＣ基準値を用い、今回信号を受信するゲインを制御すると、今回のゲインが実際信号の電力変化を反映できず、端末機器が転換した後の信号飽和または幅があまり小さくなることになり、下りデータをなくす、または重要な再配置スケジューリング情報をミスして、例えば受信器などの端末機器の性能を影響することになる。
【発明の概要】
【発明が解決しようとする課題】
【００１２】
本発明は、少なくとも既存技術における端末機器がＴＤ−ＨＳＰＡ＋ＣＰＣ状態において、隣接２回の信号受信間隔が長くなるとき、前回信号を受信したゲインで今回信号を受信するゲインを制御するできないという課題を解決するために、ＴＤ−ＨＳＰＡ＋端末機器のゲイン制御方法を提供する。
【課題を解決するための手段】
【００１３】
本発明は以下のような技術により上記課題を解決する。
【００１４】
ＴＤ−ＨＳＰＡ＋端末機器信号ゲインの制御方法であって、上記方法は、
端末機器が連続パケット伝送モデルにあるとき、本機械が初めにハイスピードパケットチャネルから信号を受信するか否かを判定し、そうでない場合、
隣接する２回の信号受信の間隔が所定の間隔より小さいか否かを判定し、そうでない場合、セル主要公共制御物理チャンネルＰＣＣＰＣＨ主要周波数ポイントのゲインＡＧＣＰＣＣＰＣＨを取得し、上記ＡＧＣＰＣＣＰＣＨにより本機械の現在受信し信号のゲインを制御する。
【００１５】
好適な実施例により、上記端末機器が上記ＰＣＣＰＣＨの主要周波数ポイントのゲインＡＧＣＰＣＣＰＣＨを取得する前に、上記ＰＣＣＰＣＨ主要周波数ポイントには、測定済みのゲインが存在するか否かを判定し、そうである場合、上記ＰＣＣＰＣＨ主要周波数ポイントＡＧＣＰＣＣＰＣＨを取得するステップ及びその後のステップを実行し、そうでない場合、
上記端末機器がサービススロットＴＳ０にて上記ＰＣＣＰＣＨ主要周波数ポイントのゲインＡＧＣＴＳＯ＿ＰＣＣＰＣＨを測定し、上記ＡＧＣＴＳＯ＿ＰＣＣＰＣＨとデフォルトゲイン変数との和を計算し、上記ＡＧＣＴＳＯ＿ＰＣＣＰＣＨと上記デフォルトゲイン変数との和により、当該機器の現在受信した信号のゲインを制御する。
【００１６】
好適な実施例によると、上記端末機器の、隣接する２回の信号受信の間隔がデフォルト間隔より小さい場合、上記端末機器は、本機器の受信した信号がＨＳ−ＤＳＣＨまたはチャネル状態がＤＲＸであるＨＳ−ＳＣＣＨからのものであるかを判定する。
【００１７】
そうである場合、上記端末機器が前回信号を受信したゲインで現在受信した信号のゲインを制御する。
【００１８】
好適な実施例によると、上記端末機器の、隣接する２回の信号受信の間隔がデフォルト間隔より小さい場合、上記端末機器は、本機器の受信した信号がチャネル状態が非ＤＲＸであるＨＳ−ＳＣＣＨからのものであるかを判定し、そうである場合、
上記端末機器が、現在信号を受信する信号対干渉比がデフォルト閾値より大きいか否かを判定し、そうである場合、上記端末機器は、前回信号を受信したゲインで現在受信した信号のゲインを制御し、そうでない場合、上記端末機器が前回信号を受信したゲインを次回信号を受信するゲイン制御基準値として設定する。
【００１９】
好適な実施例によると、上記端末機器が初めにハイスピードパケットチャネルから信号を受信する場合、上記端末機器は、上記ＰＣＣＰＣＨ主要周波数ポイントには、測定済みのゲインがあるか否かを判定する。
そうである場合、上記ＰＣＣＰＣＨ主要周波数ポイントのゲインＡＧＣＰＣＣＰＣＨを取得し、上記ＡＧＣＰＣＣＰＣＨを本機械の初回受信した信号のゲイン制御基準値にして、そうでない場合、サービススロットＴＳ０で上記ＰＣＣＰＣＨ主要周波数ポイントのゲインＡＧＣＴＳＯ＿ＰＣＣＰＣＨを測定し、上記ＡＧＣＴＳＯ＿ＰＣＣＰＣＨとデフォルトゲイン変数との和を計算し、上記ＡＧＣＴＳＯ＿ＰＣＣＰＣＨと上記デフォルト変数との和を本機械の初回受信した信号のゲイン制御基準値にする。
【００２０】
上記ハイスピードパケットチャネルは、ＨＳ−ＤＳＣＨとＨＳ−ＳＣＣＨを含む。
【００２１】
上記デフォルトゲイン変数は−１０〜０デシベルである。
【００２２】
上記端末機器には、無線通信受信機、ＴＤ携帯電話を含む。
【００２３】
本発明はさらに、下記技術を採用する。
ＴＤ−ＨＳＰＡ＋端末機器信号ゲインの制御装置であって、上記装置は、端末機器を含み、
上記端末機器が連続パケット伝送モデルにあるとき、本機械が初めにハイスピードパケットチャネルから信号を受信するか否かを判定し、そうでない場合、
隣接する２回の信号受信の間隔が所定の間隔より小さいか否かを判定し、そうでない場合、セル主要公共制御物理チャンネルＰＣＣＰＣＨ主要周波数ポイントのゲインＡＧＣＰＣＣＰＣＨを取得し、上記ＡＧＣＰＣＣＰＣＨにより本機械の現在受信し信号のゲインを制御するする。
【００２４】
上記端末機器は、
上記端末機器が初めにハイスピードパケットチャネルから信号を受信するか否かを判定する初回受信判定モジュールと、
隣接する２回の信号受信の間隔がデフォルト間隔より小さいか否かを判定する受信間隔判定モジュールと、
上記セルＰＣＣＰＣＨの主要周波数ポイントに測定済みのゲインがあるか否かを判定するＰＣＣＰＣＨゲイン判定モジュールと、
上記セルＰＣＣＰＣＨの主要周波数ポイントのゲインＡＧＣＰＣＣＰＣＨを取得するＰＣＣＰＣＨゲイン取得モジュールと、
サービススロットＴＳ０にて上記ＰＣＣＰＣＨ主要周波数ポイントのゲインＡＧＣＴＳＯ＿ＰＣＣＰＣＨを測定するＰＣＣＰＣＨゲイン測定モジュールと、
上記セルＰＣＣＰＣＨ主要周波数ポイントがサービススロットＴＳ０におけるゲインＡＧＣＴＳＯ＿ＰＣＣＰＣＨとデフォルトゲイン変数との和を計算するゲイン計算モジュールとを含む。
【００２５】
上記端末機器は、さらに、
上記端末機器が初めにハイスピードパケットチャネルから信号を受信する場合、上記ＰＣＣＰＣＨゲイン取得モジュールにより取得されたゲインＡＧＣＰＣＣＰＣＨまたは上記ゲイン計算モジュールにより算出されたゲインを上記端末機械の初回受信した信号のゲインにする初期化ゲイン制御モジュールと、
上記端末機器の隣接する２回の信号受信の間隔がデフォルト間隔より小さくない場合、上記ＰＣＣＰＣＨゲイン取得モジュールにより取得されたゲインＡＧＣＰＣＣＰＣＨ、または上記ゲイン計算モジュールにより算出されたゲインにより、本機械の現在受信した信号のゲインを制御する第１のゲイン制御モジュールと、
上記端末機器の、隣接する２回の信号受信の間隔がデフォルト間隔より小さい場合、上記端末機器の、前回受信した信号のゲインで現在受信した信号のゲインを制御し、または、上記端末機器の前回信号を受信したゲインを次回信号を受信するゲイン制御基準値にする第２のゲイン制御モジュールとを含む。
【００２６】
上記端末機器は、無線通信機器、ＴＤ携帯電話を含む。
【００２７】
既存技術に比べて、本発明は以下のような有益な技術効果を有する。本発明は、ＣＰＣモデルにおける端末機器の隣接する２回の信号受信の間隔が大きい場合に特別な処理をして、セルＰＣＣＰＣＨ主要周波数ポイントのゲインを用い、端末機器が現在受信した信号のゲインを正確に調節することができるため、端末機器がＣＰＣモデルにおいても、下りデータまたは重要な再配置スケジューリング情報をなくすことはない。
【図面の簡単な説明】
【００２８】
以下に記載の図面は、本発明をさらに理解するために提供され、本願の一部を構成し、本発明の好適の実施例及びその説明は本発明を解釈するものであり、本発明を限定するものではない。
【図１】既存技術に係るＡＧＣフィードバックループによりゲインを制御する基本的な原理図である。
【図２】本発明の好適な実施例に係るＴＤ−ＨＳＰＡ＋端末機器のゲイン制御方法のフローチャート図である。
【図３】本発明の好適な実施例に係るＴＤ−ＨＳＰＡ＋端末機器のゲイン制御装置のモジュールブロック図である。
【発明を実施するための形態】
【００２９】
本発明の解決しょうとする技術課題、技術構成、及び有益な技術効果をより明確で、分かりやすくするように、以下、図面と実施例を結合しながら、本発明をさらに詳しく説明する。なお、ここで説明する具体的な実施例は本発明を解釈するものに過ぎず、本発明を限定するものではない。
【００３０】
図２は本発明の好適な実施例に係るＴＤ−ＨＳＰＡ＋端末機器のゲイン制御方法のフローチャート図である。図２に示すように、本発明の好適な実施例の方法は以下ようなステップを含む。
【００３１】
ステップＳ２０１について、端末機器が初めにハイスピードパケットチャネルから信号を受信するか否か判定し、そうでない場合、ステップＳ２０４に進み、そうである場合、セルＰＣＣＰＣＨ主要周波数ポイントには、測定済みのゲインがあるか否かを判定する。
【００３２】
本実施例におけるハイスピードパケットチャネルは、ＨＳ−ＤＳＣＨとＨＳ−ＳＣＣＨを含む。なお、本発明は、例えば、Ｅ−ＡＧＣＨとＥ−ＨＩＣＨ（Ｅｎｈａｎｃｅｄ  ＨＡＲＱ  Ｉｎｄｉｃａｔｏｅ  Ｃｈａｎｎｅｌ、強化型指示チャンル）などのような他の下りコードチャネルにも適用する。上記端末機器は、無線通信機器、ＴＤ携帯電話を含む。
【００３３】
ステップＳ２０２について、そうである場合、セルＰＣＣＰＣＨ主要周波数ポイントのゲインＡＧＣＰＣＣＰＣＨを取得し、上記ＡＧＣＰＣＣＰＣＨを本機械の初回受信した信号のゲイン制御基準値にして、ステップＳ２１０に進む。
【００３４】
上記ゲイン制御基準値は、上記端末機器が初回受信した信号のゲインを制御する。上記セルＰＣＣＰＣＨ主要周波数ポイントのゲインＡＧＣＰＣＣＰＣＨは、主に、基地局によりセルＰＣＣＰＣＨの２つのコードチャネルで測定して得られるもので、端末機器がＰＣＣＰＣＨの一般測定タスクを介し、上記主要周波数ポイントのゲインＡＧＣＰＣＣＰＣＨを付随的に取得することができる。
【００３５】
ステップＳ２０３について、そうでない場合、サービススロットＴＳ０にて上記ＰＣＣＰＣＨ主要周波数ポイントのゲインＡＧＣＴＳＯ＿ＰＣＣＰＣＨを測定し、上記ＡＧＣＴＳＯ＿ＰＣＣＰＣＨとデフォルトゲイン変数との和を本機器の初回受信した信号のゲイン制御基準値にして、ステップＳ２１０に進む。。
【００３６】
セルＰＣＣＰＣＨ主要周波数ポイントには、上記ゲインＡＧＣＰＣＣＰＣＨがない場合、上記端末機器が自発的にサービススロットＴＳ０にて上記ＰＣＣＰＣＨ主要周波数ポイントのゲインＡＧＣＴＳＯ＿ＰＣＣＰＣＨを測定することができ、自発的測定は、セルＰＣＣＰＣＨのすべてのコードチャネルを含むため、１つのデフォルト変数により、ＡＧＣＰＣＣＰＣＨとＡＧＣＴＳＯ＿ＰＣＣＰＣＨ  との間の差を均衡化させることができる。
【００３７】
上記デフォルト変数は−１０〜０デシベルであり、好適な実施例として、ここでは、ー１０デシベルにする。
【００３８】
ステップＳ２０４について、隣接する２回の信号受信の間隔がデフォルト間隔より小さいか否かを判定し、そうである場合、ステップＳ２０７に進み、そうでない場合、上記ＰＣＣＰＣＨ主要周波数ポイントには、測定済みのゲインがあるか否かを判定する。
【００３９】
上記デフォルト間隔は自由に配置することができるが、通常の場合は、８つのサブフレームを超えない。本実施例において、デフォルト間隔を８サブフレームにする。端末機器の隣接する２回の信号受信の間隔がデフォルト間隔より小さくない場合、端末機器の前回の信号を受信したゲインが直接現在受信する信号のゲインを制御することができなく、ステップＳ２０５〜２０６で処理しなければならない。
【００４０】
ステップＳ２０５について、そうである場合、セルＰＣＣＰＣＨ主要周波数ポイントのゲインＡＧＣＰＣＣＰＣＨを取得し、上記ＡＧＣＰＣＣＰＣＨを用い、本機械の現在受信した信号のゲインを制御して、ステップＳ２１０に進む。
【００４１】
ステップＳ２０６について、そうでない場合、サービススロットＴＳ０にて上記ＰＣＣＰＣＨ主要周波数ポイントのゲインＡＧＣＴＳＯ＿ＰＣＣＰＣＨ  を測定し、上記ＡＧＣＴＳＯ＿ＰＣＣＰＣＨと上記デフォルト変数との和により本機械の現在受信した信号をゲインを制御し、ステップＳ２１０に進む。
【００４２】
端末機器の隣接する２回の信号受信の間隔がデフォルト間隔より小さい場合、通常は、本発明の「継承転送」のストラテジーにより現在受信した信号のゲインを制御することができる。端末機器がＣＰＣモデルにあるとき、２種類の受信する状況がある。一つは、例えば周期的に下りデータチャネルＨＳ−ＤＳＣＨまたはＤＲＸ周期における下り制御チャネルＨＳ−ＳＣＣＨにある場合など端末機器が下り受信の確実な時間を知ることができる場合であり、この時、端末機器が前回受信した信号のゲインで現在受信した信号のゲイン（継承転送）を制御することができる。もう一つは、例えば、端末機器が非ＤＲＸ状態にある下り制御チャネルを継続的にモニターしなければならない場合など端末機器が下り受信の確実な時間を判断することができない場合であり、この時、端末機器が現在真実で有効な下り信号があるか否かを判断しなければならない。確かにある場合、端末機器が前回信号を受信したゲインで現在受信した信号のゲインを制御することができるが、そうでない場合、端末機器が前回の有効的な受信で取得したゲインを保持し後に転送することになる。
【００４３】
ステップＳ２０７〜２０９が、端末機器の隣接する２回の信号受信の間隔がデフォルト間隔より小さい時の上記２種類の状況に対して、端末機器が受信した信号のゲインを制御できるようにそれぞれ対応する処理を行う。
【００４４】
ステップＳ２０７について、本機械の受信した信号がＨＳ−ＤＳＣＨまたはチャネル状態がＤＲＸのＨＳ―ＳＣＣＨから来たものかを判定し、そうである場合、前回信号を受信したゲインで現在受信した信号のゲインを制御する。
【００４５】
ステップＳ２０８について、本機械の受信した信号がチャネル状態が非ＤＲＸであるＨＳ−ＳＣＣＨからのものであるか否かを判定し、そうである場合、現在受信した信号の信号対干渉比がデフォルト閾値より大きいかを判定する。
【００４６】
ステップＳ２０９について、そうである場合、前回信号受信のゲインで現在信号受信のゲインを制御し、そうでない場合、前回信号受信のゲインを次回信号受信のゲイン制御基準値にする。
【００４７】
制御チャンネル非ＤＲＸ状態において、端末機器は、基地局が現在サブフレームで半継続リソース再配置のためのＨＳ−ＳＣＣＨ情報を発送したか否かを事前に判定することができないため、ＨＳ−ＳＣＣＨチャネルを継続的モニターしなければならない。よって、端末機器が受信チャネルの信号対干渉比により、現在サブフレームにはシグナリングが発送されたか否かを判定して、「継承転送」のストラテジーを採用するか否かを決定する。
【００４８】
ステップＳ２１０について、ユーザーがＣＰＣモデルを終了するか否かを判定し、そうである場合、流れが終了するが、そうでない場合、ステップＳ２０１に進む。
【００４９】
上記ステップは、本発明の好適な実施例に係る技術を詳しく説明したが、本発明の好適な実施例において、ＣＰＣモデルにある端末機器が、隣接する２回の信号受信間隔が大きい場合に対して、特別な処理を行い、発射電力が安定で、発射電力と基地局の下り発射電力との関係が安定的であるＰＣＣＰＣＨ主要周波数ポイントのゲインを用いることで、端末機器が現在受信した信号のゲインを正確的に調節でき、端末機器がＣＰＣモデルにおいても、下りデータまたは重要な再配置スケジューリング情報をなくすことはない。
【００５０】
図３は本発明の好適な実施例に係るＴＤ−ＨＳＰＡ＋端末機器のゲイン制御装置モジュールのブロック図である。図３に示すように、本発明の好適な実施例に係る装置は、端末機器を含み、
上記端末機器が連続パケット伝送モデルにあるとき、本機械が初めにハイスピードパケットチャネルから信号を受信するか否かを判定し、そうでない場合、
隣接する２回の信号受信の間隔が所定の間隔より小さいか否かを判定し、そうでない場合、セル主要公共制御物理チャンネルＰＣＣＰＣＨ主要周波数ポイントのゲインＡＧＣＰＣＣＰＣＨを取得し、上記ＡＧＣＰＣＣＰＣＨにより本機械の現在受信し信号のゲインを制御する。
【００５１】
上記端末機器は、
上記端末機器が初めにハイスピードパケットチャネルから信号を受信するか否かを判定する初回受信判定モジュール３１と、
隣接する２回の信号受信の間隔がデフォルト間隔より小さいか否かを判定する受信間隔判定モジュール３２と、
上記セルＰＣＣＰＣＨの主要周波数ポイントに測定済みのゲインがあるか否かを判定するＰＣＣＰＣＨゲイン判定モジュール３３と、
上記セルＰＣＣＰＣＨの主要周波数ポイントのゲインＡＧＣＰＣＣＰＣＨを取得するＰＣＣＰＣＨゲイン取得モジュール３４と、
サービススロットＴＳ０にて上記セルＰＣＣＰＣＨ主要周波数ポイントのゲインＡＧＣＴＳＯ＿ＰＣＣＰＣＨを測定するＰＣＣＰＣＨゲイン測定モジュール３５と、
上記セルＰＣＣＰＣＨ主要周波数ポイントがサービススロットＴＳ０におけるゲインＡＧＣＴＳＯ＿ＰＣＣＰＣＨとデフォルトゲイン変数との和を計算するゲイン計算モジュール３６とを含む。
【００５２】
上記端末機器は、さらに、
上記端末機器が初めにハイスピードパケットチャネルから信号を受信する場合、上記ＰＣＣＰＣＨゲイン取得モジュール３４により取得されたゲインＡＧＣＰＣＣＰＣＨまたは上記ゲイン計算モジュール３６により算出されたゲインを上記端末機械の初回受信した信号のゲインにする初期化ゲイン制御モジュール３７と、
上記端末機器の隣接する２回の信号受信の間隔がデフォルト間隔より小さくない場合、上記ＰＣＣＰＣＨゲイン取得モジュール３４により取得されたゲインＡＧＣＰＣＣＰＣＨ、または上記ゲイン計算モジュール３６により算出されたゲインにより、本機械の現在受信した信号のゲインを制御する第１のゲイン制御モジュール３８と、
上記端末機器の、隣接する２回の信号受信の間隔がデフォルト間隔より小さい場合、上記端末機器の、前回受信した信号のゲインで現在受信した信号のゲインを制御し、または、上記端末機器の前回信号を受信したゲインを次回信号を受信するゲイン制御基準値にする第２のゲイン制御モジュール３９とを含む。
【００５３】
上記端末機器は、無線通信機器、ＴＤ携帯電話を含む。
【００５４】
上記説明は本発明の好適な実施例を示し、説明したが、前述したように、本発明は本明細書に開示された形式に限らず、その他の実施例に対しての排除としてはならなく、他の様々な組み合わせ、変更及び環境に適用し、本明細書に記載した発明の構想範囲内にあり、上記示唆または関連分野の技術または知識により変更することができる。本発明の精神や原則を逸脱しないいずれの変更、改良なども本発明の保護範囲内に含まれる。
【図１】
2015517269.tif 000003
【図２】
2015517269.tif 000004
【図３】
2015517269.tif 000005
【国際調査報告】
2015517269.tif 000006
2015517269.tif 000007
2015517269.tif 000008
2015517269.tif 000009